(57)【要約】【課題】クロストーク量を基に画像信号のレベルを補正する画像読取装置、画像読取方法、及び画像読取プログラムを提供する。【解決手段】白基準板１０５を読み取り、各隣接チャンネル間における補正係数（以下、クロストーク係数とする）を独立に算出し、クロストーク係数に基づいて各チャンネルから出力されるデジタル信号の読取レベルを補正する。具体的には、演算部２１１は、白基準板１０５を読み取った画像データの読取レベルからクロストーク係数を算出する。算出されたクロストーク係数はメモリ２１１ｂに格納され、演算部２１１ａは通常スキャンの補正演算時に、メモリ２１１ｂからクロストーク係数を読み出して、画像データの補正演算を行う。【選択図】図１
2007208929.tif 000002
【特許請求の範囲】
【請求項１】
分解色ごとの光電変換素子を並列に複数本と、前記各光電変換素子により読み取られた画像信号を処理するアナログ処理ＩＣとを有する画像読取装置において、
隣接する光電変換素子をＯＦＦして白基準板を読み取ったとき、前記隣接するチャンネルの画像信号レベルから補正係数を算出する演算手段と、
前記演算手段によって算出した前記補正係数を記憶する記憶手段とを有し、
原稿を読み取ったとき、前記記憶手段に記憶された前記補正係数に基づいて前記隣接するチャンネルの画像信号レベルを補正することを特徴とする画像読取装置。
【請求項２】
前記演算手段によって算出された前記補正係数Ｇｎ+１と、前記記憶手段に既に記憶されている前記補正係数Ｇｎとの差分が閾値Ｇｔｈ内にあるか否かを判定する判定手段と、
前記差分が前記閾値Ｇｔｈ内にあるとき、前記記憶手段に記憶されている前記補正係数Ｇｎを前記補正係数Ｇｎ+１により更新する更新手段と、
前期差分が前記閾値Ｇｔｈ内にないとき、前記画像読取装置の異常を通知する通知手段とを有することを特徴とする請求項１記載の画像読取装置。
【請求項３】
前記各光電変換素子のＯＮ／ＯＦＦを独立に制御する制御手段を有することを特徴とする請求項１又は２記載の画像読取装置。
【請求項４】
前記演算手段は、前記隣接するチャンネル間の補正係数を独立に算出することを特徴とする請求項１から３のいずれか１項記載の画像読取装置。
【請求項５】
前記更新手段による前記補正係数の更新が前記画像読取装置の電源がＯＮされる毎に行われることを特徴とする請求項２から４のいずれか１項記載の画像読取装置。
【請求項６】
分解色ごとの光電変換素子を並列に複数本と、前記各光電変換素子により読み取られた画像信号を処理するアナログ処理ＩＣとを有する画像読取装置の画像読取方法において、
隣接する光電変換素子をＯＦＦして白基準板を読み取ったとき、前記隣接するチャンネルの画像信号レベルから補正係数を算出する演算工程と、
前記演算工程によって算出した前記補正係数を記憶する記憶工程と、
原稿を読み取ったとき、前記記憶手段に記憶された前記補正係数に基づいて前記隣接するチャンネルの画像信号レベルを補正する工程とを有することを特徴とする画像読取方法。
【請求項７】
分解色ごとの光電変換素子を並列に複数本と、前記各光電変換素子により読み取られた画像信号を処理するアナログ処理ＩＣとを有する画像読取装置の画像読取プログラムにおいて、
隣接する光電変換素子をＯＦＦして白基準板を読み取ったとき、前記隣接するチャンネルの画像信号レベルから補正係数を算出する演算処理と、
前記演算工程によって算出した前記補正係数を記憶する記憶処理と、
原稿を読み取ったとき、前記記憶手段に記憶された前記補正係数に基づいて前記隣接するチャンネルの画像信号レベルを補正する処理とを有することを特徴とする画像読取プログラム。
【発明の詳細な説明】
【技術分野】
【０００１】
本発明は、画像読取装置、画像読取方法、及び画像読取プログラムに関し、特に、クロストーク量を基に画像信号のレベルを補正する画像読取装置、画像読取方法、及び画像読取プログラムに関する。
【背景技術】
【０００２】
デジタル複写機で使用されるカラーＣＣＤでは転送速度を高速化するためにＲ／Ｇ／Ｂそれぞれで偶数画素（ｅｖｅｎ）、奇数画素（ｏｄｄ）で並列出力される。この場合、上記画像データの流れは同時に６チャンネルで行われる。
【０００３】
特許文献１では、イメージセンサにより読み取られた画像信号を処理する回路が搭載された基板から、イメージセンサが搭載された基板に対して、イメージセンサ駆動信号を生成するために必要な同期信号のみを伝送することにより、イメージセンサ駆動信号が電磁波ノイズの影響を受けることなく、画像信号の劣化を防止することができる画像読取装置が提案されている。
【特許文献１】特開２０００−２４４７１６号公報
【発明の開示】
【発明が解決しようとする課題】
【０００４】
しかし、上記の発明は以下の問題を有している。
【０００５】
ＣＣＤの出力ピンの配置、回路のレイアウトの関係で、６チャンネル並列でこのアナログ画像信号が上記で示した順で回路を流れた場合、図３のように隣接チャンネル間（ＲｏｄｄとＧｅｖｅｎ、ＧｏｄｄとＢｅｖｅｎ）でアナログ電気信号のクロストークが発生し、最終的に得られる画像データが変動する。その結果、図４のように同じ色チャンネルのｅｖｅｎ、ｏｄｄにもレベル差が生じてしまい、色再現性が悪くなる。また、近年、６チャンネル入力のアナログ処理ＩＣが開発されており、このＩＣの入力ピン、内部構造によっても、さらにクロストークが発生する可能性もある。
【０００６】
そこで、本発明は、白基準板を読み取り、各隣接チャンネル間における補正係数を独立に算出し、クロストーク係数に基づいて各チャンネルから出力されるデジタル信号の読取レベルを補正することにより、クロストークの発生による画像データへの影響を低減し、かつ色再現性を向上させることができる画像読取装置、画像読取方法、及び画像読取プログラムを提案することを目的としている。
【課題を解決するための手段】
【０００７】
請求項１記載の発明は、分解色ごとの光電変換素子を並列に複数本と、前記各光電変換素子により読み取られた画像信号を処理するアナログ処理ＩＣとを有する画像読取装置において、隣接する光電変換素子をＯＦＦして白基準板を読み取ったとき、前記隣接するチャンネルの画像信号レベルから補正係数を算出する演算手段と、前記演算手段によって算出した前記補正係数を記憶する記憶手段とを有し、原稿を読み取ったとき、前記記憶手段に記憶された前記補正係数に基づいて前記隣接するチャンネルの画像信号レベルを補正することを特徴とする。
【０００８】
請求項２記載の発明は、請求項１記載の画像読取装置において、前記演算手段によって算出された前記補正係数Ｇｎ+１と、前記記憶手段に既に記憶されている前記補正係数Ｇｎとの差分が閾値Ｇｔｈ内にあるか否かを判定する判定手段と、前記差分が前記閾値Ｇｔｈ内にあるとき、前記記憶手段に記憶されている前記補正係数Ｇｎを前記補正係数Ｇｎ+１により更新する更新手段と、前期差分が前記閾値Ｇｔｈ内にないとき、前記画像読取装置の異常を通知する通知手段とを有することを特徴とする。
【０００９】
請求項３記載の発明は、請求項１又は２記載の画像読取装置において、前記各光電変換素子のＯＮ／ＯＦＦを独立に制御する制御手段を有することを特徴とする。
【００１０】
請求項４記載の発明は、請求項１から３のいずれか１項記載の画像読取装置において、前記演算手段は、前記隣接するチャンネル間の補正係数を独立に算出することを特徴とする。
【００１１】
請求項５記載の発明は、請求項２から４のいずれか１項記載の画像読取装置において、前記更新手段による前記補正係数の更新が前記画像読取装置の電源がＯＮされる毎に行われることを特徴とする。
【００１２】
請求項６記載の発明は、分解色ごとの光電変換素子を並列に複数本と、前記各光電変換素子により読み取られた画像信号を処理するアナログ処理ＩＣとを有する画像読取装置の画像読取方法において、隣接する光電変換素子をＯＦＦして白基準板を読み取ったとき、前記隣接するチャンネルの画像信号レベルから補正係数を算出する演算工程と、前記演算工程によって算出した前記補正係数を記憶する記憶工程と、原稿を読み取ったとき、前記記憶手段に記憶された前記補正係数に基づいて前記隣接するチャンネルの画像信号レベルを補正する工程とを有することを特徴とする。
【００１３】
請求項７記載の発明は、分解色ごとの光電変換素子を並列に複数本と、前記各光電変換素子により読み取られた画像信号を処理するアナログ処理ＩＣとを有する画像読取装置の画像読取プログラムにおいて、隣接する光電変換素子をＯＦＦして白基準板を読み取ったとき、前記隣接するチャンネルの画像信号レベルから補正係数を算出する演算処理と、前記演算工程によって算出した前記補正係数を記憶する記憶処理と、原稿を読み取ったとき、前記記憶手段に記憶された前記補正係数に基づいて前記隣接するチャンネルの画像信号レベルを補正する処理とを有することを特徴とする。
【発明の効果】
【００１４】
本発明は、白基準板を読み取り、各隣接チャンネル間における補正係数を独立に算出し、クロストーク係数に基づいて各チャンネルから出力されるデジタル信号の読取レベルを補正することにより、クロストークの発生による画像データへの影響を低減し、かつ色再現性を向上させることができる。また、各隣接チャンネル間で独立にクロストーク係数を算出することにより、補正演算の精度を向上させることができる
【発明を実施するための最良の形態】
【００１５】
以下、本発明の一実施形態に係わる画像読取装置の構成及び動作について説明する。
【００１６】
まず、図１を用いて本実施形態に係わる画像読取装置の構成について説明する。
【００１７】
本実施形態に係わる画像読取装置は、走行体１０１、レンズ１０３、光電変換素子１０４、白基準板１０５、及びコンタクトガラス１０６を有して構成される。
【００１８】
原稿１０２のスキャン動作は、圧板読み取り時はコンタクトガラス１０６上の原稿１０２を走行体１０１が副走査方向に移動しながら、シートスルー読み取り時は原稿１０２を移動させながら、原稿情報として原稿１０２からの反射光を読み取る。原稿１０２からの反射光は、レンズ１０３を介して光電変換素子ＣＣＤ１０４上に結像され、光電変換素子ＣＣＤ１０４において光電変換によりアナログ電気信号に変換される。画像読取装置は、得られたアナログ電気信号に対して、アナログ処理、及びデジタル処理を施し画像情報をデジタルデータとして読み取る。また、原稿の主走査分布を均一にするために、シェーディング補正を行う。なお、シェーディング補正のための白基準板１０５の読み取りデータは、原稿をスキャンする前に取得される。
【００１９】
次に、本実施形態に係わる画像読取装置のシステム構成について図２を用いて説明する。
【００２０】
画像読取装置のシステム構成は、光電変換素子２０１、アナログバッファ２０２、ＡＣ結合２０３、ラインクランプ２０４、Ｓ＆Ｈ２０５、ＶＧＡ２０６、Ａ／Ｄコンバータ２０７、平均化回路２０８、Ｐｅａｋ検出回路２０９、ＣＰＵ２１０、及び補正演算部２１１を有して構成される。
【００２１】
光電変換素子２０１は、光電変換により原稿画像の反射光をアナログ電気信号に変換する。アナログバッファ２０２は、光電変換素子２０１から出力されるアナログ電気信号をバッファする。
【００２２】
光電変換素子ＣＣＤ２０１において得られたアナログ電気信号は、アナログバッファ２０２及びＡＣ結合２０３を介して、アナログ処理を行うアナログ処理ＩＣへ入力される。
【００２３】
アナログ処理ＩＣでは、まず、ラインクランプ回路２０４においてＣＣＤ出力１ライン中の黒画素出力期間でクランプを行い、１ラインの間の電位を一定に保つようにしている。この黒画素出力期間は、光電変換素子２０が遮光されており、光（原稿反射光）が入ってもレベルが変動することはない。したがって、この黒画素出力期間の光電変換素子２０１の出力を画像データの絶対黒基準として、「黒レベル」と呼ぶ。つまり、これより下のレベルの信号は存在しないことになる。
【００２４】
Ｓ＆Ｈ部２０５は、画像信号をサンプルパルスによりサンプリングし保持することにより画像信号を連続したアナログ信号にする。ＶＧＡ（可変ゲインアンプ）２０６は、Ｓ＆Ｈ部２０５においてサンプルホールドした画像信号をゲイン値で増幅する。
【００２５】
Ａ／Ｄ変換回路２０７は、基準電圧から生成されるリファレンスレベルに基づきデジタル信号に変換し、画像データのデジタルデータを出力する。
【００２６】
アナログ処理ＩＣから出力されたデジタルデータは、平均化回路２０８に入力される。平均化回路２０８では、白基準板１０５のデジタルデータに含まれる各ブロックを構成する画素の画像信号レベルの平均を算出し、各ブロックの画像信号レベルの平均値をＰｅａｋ検出回路２０９に出力する。
【００２７】
Ｐｅａｋ検出回路２０９は、画像信号レベルの平均値が最も高いブロックを検出し、該ブロックの画像信号レベルの平均値をＣＰＵ２１０に出力する。ＣＰＵ２１０は、Ｐｅａｋ検出回路２０９から入力された平均値と予め設定された値との差分を算出し、ゲイン値を算出する。ＣＰＵ２１０において算出されたゲイン値は、ＶＧＡ２０６に入力され、該ゲイン値を用いて画像信号を増幅する。
【００２８】
なお、図３に示すように、本実施形態に係わる画像読取装置で使用されるカラーＣＣＤでは、転送速度を高速化するため、Ｒ／Ｇ／Ｂそれぞれで偶数画素（ｅｖｅｎ）、奇数画素（ｏｄｄ）が並列出力される。この場合、上記画像データの流れは同時に６チャンネルで行われる。本実施形態では、白基準板１０５を読み取り、各隣接チャンネル間における補正係数（以下、クロストーク係数とする）を独立に算出し、クロストーク係数に基づいて各チャンネルから出力されるデジタル信号の読取レベルを補正する。本処理により、クロストークの発生による画像データへの影響を低減し、かつ色再現性を向上させることができる。また、各隣接チャンネル間で独立にクロストーク係数を算出することにより、補正演算の精度を向上させることができる。
【００２９】
本実施形態に係わる画像読取装置はアナログ処理ＩＣから出力されたデジタル信号に基づいて、クロストーク係数の算出、保持、補正演算を行う補正演算部２１１を有する。補正演算部２１１は、アナログ処理ＩＣから出力されたデジタル信号を補正することにより、光電変換素子２０１、アナログバッファ２０２、及びアナログ処理ＩＣの全てで受けたクロストークの影響を低減する。
【００３０】
ここで、補正演算部２１１の具体的な構成について図８を用いて説明する。補正演算部２１１は、演算部２１１ａ及びメモリ２１１ｂを有して構成される。演算部２１１は、白基準板１０５を読み取った画像データの読取レベルからクロストーク係数を算出する。算出されたクロストーク係数はメモリ２１１ｂに格納され、演算部２１１ａは通常スキャンの補正演算時に、メモリ２１１ｂからクロストーク係数を読み出して、画像データの補正演算を行う。
【００３１】
次に、クロストークによる画像データに及ぼす影響を低減する具体的な方法について説明する。
【００３２】
図５、及び６を用いて図３に示すＲｏｄｄとＧｅｖｅｎ間において発生するクロストークを補正する処理について説明する。
【００３３】
まず、クロストーク係数を算出するため、白基準板１０５の読み取りを実行する。白基準板１０５を読み取らせる際、光電変換素子２０１のＲ、ＢチャンネルのＴＧ信号はＯＦＦにしておく。なお、光電変換素子２０１の各チャンネルのＯＮ／ＯＦＦを制御する方法について後述する。これにより、Ｒ、Ｂの光電変換素子２０１からの出力は遮断され、回路上にはＧ成分の電気信号のみが出力される。
【００３４】
したがって、最終的なＲｏｄｄに対応するデジタル信号の読取レベルは、０となるはずである。しかし、実際は、図６に示すようにクロストークの影響によりＧｅｖｅｎの電気信号成分がＲｏｄｄチャンネルに伝播され、それがＡ／Ｄ変換回路２０７によってデジタル化され、数ｄｉｇｉｔの画像データとして生じる。そこで、本実施形態においては、このときのＲｏｄｄとＧｅｖｅｎの読取レベルの割合（式１に示す）をＲｏｄｄとＧｅｖｅｎ間のクロストーク係数（Ｃｒｏｇｅ）として算出する。
【００３５】
【数１】
2007208929.tif 000003
【００３６】
そして、通常のスキャン時において得られるＲｏｄｄとＧｅｖｅｎ間のクロストークによる影響を受けた画像データの読取レベルを、クロストーク係数を用いて補正する。具体的には、式２によりＲｏｄｄ及びＧｅｖｅｎの読取レベルを補正する。なお、式２において、ｒｏ及びｇｅは補正前のクロストークの影響を受けた画像データの読取レベルであり、Ｒｏ及びＧｅは補正後のクロストークの影響を低減した画像データの読取レベルである。補正演算部２１１では、式２に示す連立方程式から補正後のＲｏ及びＧｅを算出する。
【００３７】
【数２】
2007208929.tif 000004
【００３８】
なお、ここでは説明を省略するがＧｏｄｄとＢｅｖｅｎ間のクロストークの補正も上述と同様の処理によりクロストーク係数を算出し、該クロストーク係数を用いて各チャンネルから出力された画像データの読取レベルを補正する。
【００３９】
次に、図９及び１０を用いて、光電変換素子２０１の各チャンネルのＯＮ／ＯＦＦを制御する方法について説明する。
【００４０】
図９に示すように、光電変換素子２０１にはＲ／Ｇ／Ｂで分岐されたＴＧ信号と、Ｒ／Ｇ／Ｂそれぞれの制御信号とのＡＮＤ回路が接続されている。クロストーク係数を算出するために白基準板１０５を読み取る際、各チャンネルのＴＧ信号入力のＯＮ／ＯＦＦの切り替えを、制御信号によって行う。
【００４１】
つまり、制御信号がアサート時はＴＧ信号が光電変換素子２０１に入力され、ネゲート時はＴＧ信号の光電変換素子２０１への入力が遮断される。なお、通常スキャン時は、Ｒ／Ｇ／Ｂすべての制御信号をアサートしておく。例えば、ＲｏｄｄとＧｅｖｅｎ間のクロストーク係数を算出する場合、図１０に示すように、Ｇのみ制御信号をアサートし、Ｇ成分のＴＧ信号の入力だけを許可し、Ｒ、Ｂ成分はＴＧ信号の入力を遮断する。上述の構成により、光電変換素子２０１の各色の出力・遮断を制御する。
【００４２】
次に、クロストーク係数を算出する処理の動作手順について図１１を用いて説明する。
【００４３】
画像読取装置の電源がＯＮされると（ステップＳ１１０１）、走行体１０１は白基準板１０５を読み取りゲイン調整のための画像データを取得する（ステップＳ１１０２）。光電変換素子２０１から出力された画像データのアナログ電気信号は、アナログ処理ＩＣに入力され、所定の処理が施された後、デジタル信号として平均化回路２０８に出力される。そして、ＣＰＵ２１０において、平均化回路２０８及びＰｅａｋ検出回路２０９を通過したデジタル信号に基づいてゲイン値が算出され、該ゲイン値はＶＧＡ２０６に設定される（ステップＳ１１０３）。
【００４４】
ゲイン値の調整が完了すると、走行体１０１は再び白基準板１０５の下に移動し、クロストーク係数算出のために白基準板１０５を再度読み取る（ステップＳ１１０４）。そして、光電変換素子２０１から出力された画像データのアナログ電気信号は、アナログ処理ＩＣに入力され、所定の処理が施された後、ＬＶＤＳを介して補正演算部２１１に入力される。補正演算部２１１は、上述の処理により演算部２１１ａにおいてクロストーク係数を算出し（ステップＳ１１０５）、メモリ２１１ｂに該クロストーク係数を格納する（ステップＳ１１０６）。
【００４５】
メモリ２１１ｂへのクロストーク係数の格納が完了すると、画像読取装置はユーザからの画像読取動作の要求を待つ待機状態に遷移する（ステップＳ１１０７）。なお、クロストーク係数の格納は、画像読取装置の電源がＯＮされる毎に行われ、クロストーク量の微小な変動に追従する。
【００４６】
次に、他の実施形態に係わる画像読取装置の構成及び動作について説明する。
【００４７】
まず、図１２を用いて本実施形態に係わる画像読取装置のシステム構成について説明する。なお、補正演算部２１１以外の構成は、上述の実施形態と同様であるため、補正演算部２１１以外の構成の説明は省略する。
【００４８】
本実施形態に係わる補正演算部２１１は、演算部２１１ａ、メモリ２１１ｂ、及び判定部２１１ｃを有して構成される。補正演算部は、まず演算部２１１ａにより白基準板１０５を読み取った画像データの読取レベルからクロストーク係数Ｇｎ+１を算出する。次に、判定部２１１ｃにより、前回の電源ＯＮ時に算出されたＧｎをメモリ２１１ｂから読み出し、クロストーク係数Ｇｎとクロストーク係数Ｇｎ+１の変化量を算出し、その変化量が閾値Ｇｔｈ内にあるか否かを判定する。そして、変化量が閾値Ｇｔｈ内にあるときは、クロストーク係数Ｇｎ+１はメモリ２１１ｂに格納される。なお、通常スキャンの場合、演算部２１１ａは、メモリ２１１ｂからクロストーク係数を読み出して、画像データの補正演算を行う。
【００４９】
次に、クロストーク係数を算出する処理の動作手順について図１３を用いて説明する。
【００５０】
画像読取装置の電源がＯＮされると（ステップＳ１３０１）、走行体１０１は白基準板１０５を読み取りゲイン調整のための画像データを取得する（ステップＳ１３０２）。光電変換素子２０１から出力された画像データのアナログ電気信号は、アナログ処理ＩＣに入力され、所定の処理が施された後、デジタル信号として平均化回路２０８に出力される。そして、ＣＰＵ２１０において、平均化回路２０８及びＰｅａｋ検出回路２０９を通過したデジタル信号に基づいてゲイン値が算出され、該ゲイン値はＶＧＡ２０６に設定される（ステップＳ１３０３）。
【００５１】
ゲイン値の調整が完了すると、走行体１０１は再び白基準板１０５の下に移動し、クロストーク係数算出のために白基準板１０５を再度読み取る（ステップＳ１３０４）。そして、光電変換素子２０１から出力された画像データのアナログ電気信号は、アナログ処理ＩＣに入力され、所定の処理が施された後、ＬＶＤＳを介して補正演算部２１１に入力される。補正演算部２１１は、上述の処理により演算部２１１ａにおいてクロストーク係数Ｇｎ+１を算出する（ステップＳ１３０５）。
【００５２】
次に、判定部２１１ｃにより、前回の電源ＯＮ時に算出されたＧｎをメモリ２１１ｂから読み出し、クロストーク係数Ｇｎとクロストーク係数Ｇｎ+１の変化量を算出し、その変化量が閾値Ｇｔｈ内にあるか否かを判定する（ステップＳ１３０６）。そして、変化量が閾値Ｇｔｈ内にあるときは（ステップＳ１３０６／ＹＥＳ）、クロストーク係数Ｇｎ+１はメモリ２１１ｂに格納される（ステップＳ１３０７）。一方、変化量が閾値Ｇｔｈ内にないときは（ステップＳ１３０６／ＮＯ）、その情報を操作部などに伝送し、回路、基準白板の異常発生などをユーザに知らせる（ステップＳ１３０８）。
【００５３】
メモリ２１１ｂへのクロストーク係数Ｇｎ+１の格納が完了すると、画像読取装置はユーザからの画像読取動作の要求を待つ待機状態に遷移する（ステップＳ１３０９）。なお、クロストーク係数の格納は、画像読取装置の電源がＯＮされる毎に行われ、クロストーク量の微小な変動に追従する。
【図面の簡単な説明】
【００５４】
【図１】本実施形態に係わる画像読取装置の概略図である。
【図２】従来の画像読取装置のシステム構成を示すブロック図である。
【図３】６チャンネルのアナログ処理ＩＣを有する画像読取装置のシステム構成を示すブロック図である。
【図４】従来の画像読取装置においてアナログ処理ＩＣから出力された各チャンネルの読取レベルを示す図である。
【図５】本実施形態に係わる画像読取装置の６チャンネルのアナログ処理ＩＣを示すブロック図である。
【図６】白基準板の画像データの各チャンネルの読取レベルを示す図である。
【図７】本実施形態に係わる画像読取装置の６チャンネルのアナログ処理ＩＣを示すブロック図である。
【図８】本実施形態に係わる画像読取装置の６チャンネルのアナログ処理ＩＣを示すブロック図である。
【図９】本実施系形態に係わる画像読取装置において光電変換素子のＯＮ／ＯＦＦを制御する機構を示す図である。
【図１０】光電変換素子のＯＮ／ＯＦＦを制御する制御信号を示す図である。
【図１１】クロストーク係数を算出する処理のフローチャートである。
【図１２】本実施形態に係わる画像読取装置の６チャンネルのアナログ処理ＩＣを示すブロック図である。
【図１３】クロストーク係数を算出する処理のフローチャートである。
【符号の説明】
【００５５】
１０１    走行体
１０２    原稿
１０３    レンズ
１０４、２０１    光電変換素子
１０５    白基準板
２０２    アナログバッファ
２０３    ＡＣ結合
２０４    ラインクランプ
２０５    Ｓ＆Ｈ
２０６    ＶＧＡ
２０７    Ａ／ＤＣ
２０８    平均化回路
２０９    Ｐｅａｋ検出回路
２１０    ＣＰＵ
【図１】
2007208929.tif 000005
【図２】
2007208929.tif 000006
【図３】
2007208929.tif 000007
【図４】
2007208929.tif 000008
【図５】
2007208929.tif 000009
【図６】
2007208929.tif 000010
【図７】
2007208929.tif 000011
【図８】
2007208929.tif 000012
【図９】
2007208929.tif 000013
【図１０】
2007208929.tif 000014
【図１１】
2007208929.tif 000015
【図１２】
2007208929.tif 000016
【図１３】
2007208929.tif 000017